(57)【特許請求の範囲】
【請求項１】
画像記録装置であって、
画像データおよびその付加情報を保存するための少なくとも１つ以上の記録媒体と接続する接続手段と、
前記画像記録装置に接続された記録媒体が、前記画像記録装置とは異なる外部装置にデータを送信する通信機能を持つかどうかを判定する記録媒体判定手段と、
位置情報を取得する位置情報取得手段と、
前記位置情報取得手段により前記位置情報を取得するかどうかを予め設定する位置情報取得設定手段と、
ユーザが送信設定を確認するための送信設定確認画面を表示部に表示するよう制御する制御手段とを具備し、
前記制御手段は、前記記録媒体判定手段により前記記録媒体が通信機能を持つと判定され、かつ前記位置情報取得設定手段により前記位置情報を取得すると設定されている場合は、前記送信設定確認画面を前記表示部に表示するよう制御することを特徴とする画像記録装置。
【請求項２】
前記記録媒体は着脱可能であって、前記記録媒体の装着を検出する記録媒体検出手段をさらに具備し、
前記制御手段は、前記記録媒体検出手段にて前記記録媒体の装着が検出されたことに応じて前記送信設定確認画面を表示するよう制御することを特徴とする請求項１に記載の画像記録装置。
【請求項３】
前記制御手段は、前記記録媒体への情報の記録開始または記録終了の際に前記送信設定確認画面を表示するよう制御することを特徴とする請求項１に記載の画像記録装置。
【請求項４】
前記通信機能とは、無線を用いた通信機能であることを特徴とする請求項１〜３の何れか１項に記載の画像記録装置。
【請求項５】
前記位置情報取得手段とは、画像データの撮影位置情報を取得する手段であることを特徴とする請求項１〜４の何れか１項に記載の画像記録装置。
【請求項６】
前記位置情報取得設定手段とは、前記撮影位置情報を取得するかどうかを設定する手段であることを特徴とする請求項５に記載の画像記録装置。
【請求項７】
画像記録装置であって、
画像データおよびその付加情報を保存するための少なくとも１つ以上の記録媒体と接続する接続手段と、
外部機器と通信を行うための通信手段と、
前記記録媒体に記録した画像を前記通信手段により自動的に送信するかどうかを設定する通信設定手段と、
位置情報を取得する位置情報取得手段と、
前記位置情報を取得するかどうかを予め設定する位置情報取得設定手段と、
ユーザが送信設定を確認するための送信設定確認画面を表示部に表示するよう制御する制御手段とを具備し、
前記制御手段は、前記通信設定手段により自動送信設定を行うと設定され、かつ前記位置情報取得設定手段により前記位置情報を取得すると設定されている場合は、前記送信設定確認画面を前記表示部に表示するよう制御することを特徴とする画像記録装置。
【請求項８】
前記送信設定確認画面では、前記記録媒体に記録した画像を前記通信手段により送信するかを選択可能であることを特徴とする請求項７に記載の画像記録装置。
【請求項９】
前記制御手段は、前記位置情報取得設定手段にて位置情報の取得設定を行う際に前記送信設定確認画面を表示するよう制御することを特徴とする請求項７に記載の画像記録装置。
【請求項１０】
前記制御手段は、前記記録媒体への情報の記録開始または記録終了の際に前記送信設定確認画面を表示するよう制御することを特徴とする請求項７に記載の画像記録装置。
【請求項１１】
前記位置情報取得手段とは、画像データの撮影位置情報を取得する手段であることを特徴とする請求項７〜１０の何れか１項に記載の画像記録装置。
【請求項１２】
前記位置情報取得設定手段とは、前記撮影位置情報を取得するかどうかを設定する手段であることを特徴とする請求項１１に記載の画像記録装置。
【請求項１３】
画像記録装置の制御方法であって、
画像データおよびその付加情報を保存するための少なくとも１つ以上の記録媒体と接続する接続工程と、
前記画像記録装置に接続された記録媒体が、前記画像記録装置とは異なる外部装置にデータを送信する通信機能を持つかどうかを判定する記録媒体判定工程と、
位置情報を取得する位置情報取得工程と、
前記位置情報取得工程において前記位置情報を取得するかどうかを予め設定する位置情報取得設定工程と、
ユーザが送信設定を確認するための送信設定確認画面を表示部に表示するよう制御する制御工程とを具備し、
前記制御工程は、前記記録媒体判定工程において前記記録媒体が通信機能を持つと判定され、かつ前記位置情報取得設定工程において前記位置情報を取得すると設定されている場合は、前記送信設定確認画面を前記表示部に表示するよう制御することを特徴とする画像記録装置の制御方法。
【請求項１４】
画像記録装置の制御方法であって、
画像データおよびその付加情報を保存するための少なくとも１つ以上の記録媒体と接続する接続工程と、
外部機器と通信を行うための通信工程と、
前記記録媒体に記録した画像を前記通信工程において自動的に送信するかどうかを設定する通信設定工程と、
位置情報を取得する位置情報取得工程と、
前記位置情報を取得するかどうかを予め設定する位置情報取得設定工程と、
ユーザが送信設定を確認するための送信設定確認画面を表示部に表示するよう制御する制御工程とを具備し、
前記制御工程は、前記通信設定工程において自動送信設定を行うと設定され、かつ前記位置情報取得設定工程において前記位置情報を取得すると設定されている場合は、前記送信設定確認画面を前記表示部に表示するよう制御することを特徴とする画像記録装置の制御方法。
【請求項１５】
画像記録装置の制御方法の各工程をコンピュータに実行させるプログラムであって、
画像データおよびその付加情報を保存するための少なくとも１つ以上の記録媒体と接続する接続工程と、
前記画像記録装置に接続された記録媒体が、前記画像記録装置とは異なる外部装置にデータを送信する通信機能を持つかどうかを判定する記録媒体判定工程と、
位置情報を取得する位置情報取得工程と、
前記位置情報取得工程において前記位置情報を取得するかどうかを予め設定する位置情報取得設定工程と、
ユーザが送信設定を確認するための送信設定確認画面を表示部に表示するよう制御する制御工程とをコンピュータに実行させ、
前記制御工程は、前記記録媒体判定工程において前記記録媒体が通信機能を持つと判定され、かつ前記位置情報取得設定工程において前記位置情報を取得すると設定されている場合は、前記送信設定確認画面を前記表示部に表示するよう制御することを特徴とするプログラム。
【請求項１６】
画像記録方法の各工程をコンピュータに実行させるプログラムであって、
画像データおよびその付加情報を保存するための少なくとも１つ以上の記録媒体と接続する接続工程と、
外部機器と通信を行うための通信工程と、
前記記録媒体に記録した画像を前記通信工程において自動的に送信するかどうかを設定する通信設定工程と、
位置情報を取得する位置情報取得工程と、
前記位置情報を取得するかどうかを予め設定する位置情報取得設定工程と、
ユーザが送信設定を確認するための送信設定確認画面を表示部に表示するよう制御する制御工程とをコンピュータに実行させ、
前記制御工程は、前記通信設定工程において自動送信設定を行うと設定され、かつ前記位置情報取得設定工程において前記位置情報を取得すると設定されている場合は、前記送信設定確認画面を前記表示部に表示するよう制御することを特徴とするプログラム。
【発明の詳細な説明】
【技術分野】
【０００１】
本発明は、画像記録装置及び画像記録装置の制御方法に関し、特に、撮影画像データに付加されるメタデータを取り扱う技術に関するものである。
【背景技術】
【０００２】
現在、多くのデジタルスチルカメラで撮影された撮影画像データは、Ｅｘｉｆ（Exchange Image File Format）形式で記録されている。このＥｘｉｆ形式で記録された撮影画像データには、撮影画像以外にも付加情報が多く含まれている。
【０００３】
このような撮影画像データに付加される情報は一般的にメタデータと言われる。このメタデータには撮影した機器のモデル名や、シリアルナンバー、メーカ名、撮影者の識別記号、撮影位置情報、撮影条件、撮影日時、被撮影者の顔情報、タイトル、メモなどがある。これらのメタデータは目的の画像データの検索などに用いられている。
【０００４】
例えば、撮影日時を用いてカテゴライズし特定の日付に撮影した画像データを集めて一覧表示を行ったり、被撮影者の顔情報を用いてカテゴライズし、特定の人物が写っている画像データを集めて一覧表示を行ったりしている。また、撮影位置情報が付加された画像データを地図データと関連付けて、地図上に撮影した画像データを重畳して表示することにも利用されている。
【０００５】
このように、メタデータを用いることにより、ユーザにとって便利な機能が実現される。しかしながら、メタデータには撮影者の識別記号や撮影位置情報など、場合によってはプライバシーに関わる可能性のある情報も含まれている。
【０００６】
また、近年では無線機能を持ち、予め転送先のサーバを指定しておけばユーザは転送作業をすることなく撮影画像データをサーバに逐次転送可能なメモリカードやデジタルカメラも存在する。このようにサーバにアップロードするためのインフラが整いつつあり、個人情報を付加したままで画像データを公の場に公開してしまう可能性は高くなりつつある。
【０００７】
このような問題を解決するために「特許文献１」では、画像データを送信する際に画像データに付加されている付加情報から個人情報を削除した後に画像を送信することで個人情報が送信されることを防止することが提案されている。
【先行技術文献】
【特許文献】
【０００８】
【特許文献１】特開２００７−８８７５４号公報
【発明の概要】
【発明が解決しようとする課題】
【０００９】
しかしながら、何らかの編集を行ってから画像データを送信したいと思っていても、前述したような無線機能を持つメモリカードを利用した場合、編集作業をする前に自動的に画像データなどの情報が送信されてしまう場合がある。
本発明は前述の問題点に鑑み、ユーザが意図せずに外部に情報が送信されるのを防止できるようにすることを目的とする。
【課題を解決するための手段】
【００１０】
本発明の画像記録装置は、画像記録装置であって、画像データおよびその付加情報を保存するための少なくとも１つ以上の記録媒体と接続する接続手段と、前記画像記録装置に接続された記録媒体が、前記画像記録装置とは異なる外部装置にデータを送信する通信機能を持つかどうかを判定する記録媒体判定手段と、位置情報を取得する位置情報取得手段と、前記位置情報取得手段により前記位置情報を取得するかどうかを予め設定する位置情報取得設定手段と、ユーザが送信設定を確認するための送信設定確認画面を表示部に表示するよう制御する制御手段とを具備し、前記制御手段は、前記記録媒体判定手段により前記記録媒体が通信機能を持つと判定され、かつ前記位置情報取得設定手段により前記位置情報を取得すると設定されている場合は、前記送信設定確認画面を前記表示部に表示するよう制御することを特徴とする。
【発明の効果】
【００１１】
本発明によれば、撮影前に転送設定の確認をさせるようにしたので、ユーザの意図しない情報が外部に送信されることを未然に防ぐことができる。
【図面の簡単な説明】
【００１２】
【図１】第１の実施形態を示し、画像記録装置の構成例を示すブロック図である。
【図２】第１の実施形態の動作を説明する第１のフローチャートである。
【図３】送信設定画面の一例を説明する図である。
【図４】第１の実施形態の動作を説明する第２のフローチャートである。
【図５】第２の実施形態を示し、画像記録装置の構成例を示すブロック図である。
【図６】第２の実施形態の動作を説明するフローチャートである。
【図７】第３の実施形態を示し、画像記録装置の構成例を示すブロック図である。
【図８】第３の実施形態の動作を説明する第１のフローチャートである。
【図９】第３の実施形態の動作を説明する第２のフローチャートである。
【図１０】第４の実施形態を示し、画像記録装置の構成例を示すブロック図である。
【図１１】第４の実施形態の動作を説明するフローチャートである。
【図１２】送信設定画面の変形例を説明する図である。
【図１３】第５の実施形態を示し、画像記録装置の構成例を示すブロック図である。
【図１４】第５の実施形態の動作を説明するフローチャートである。
【発明を実施するための形態】
【００１３】
＜第１の実施形態＞
図１は、この第１の実施形態を実現するためのブロック図を示している。ここでは、画像記録装置としてビデオカメラを例にとって説明を行う。
図１において、撮像部１０は光学系とその光学系を制御するためのモータと撮像素子などから構成されている。撮像部１０を通過した外光は撮像素子の面上に光学像を結像し、撮像素子により電気信号に変換される。また、ビデオカメラは記録媒体との接続部を有し、記録媒体に対するデータの読み書きが可能である。
【００１４】
電気信号は画像処理部１１によりデジタルデータに変換され、圧縮処理がなされた後にメタデータと共に、着脱可能記録媒体１３に記録される。また、画像処理部１１は着脱可能記録媒体１３に記録されている画像データを伸張処理し、表示に最適なデータに変換した後に表示部１２に表示する。同時にユーザに設定確認をさせるためのメッセージも表示部１２に表示することが可能である。着脱可能記録媒体１３は、画像データおよびその付加情報を保存するために、少なくとも１つ以上配設されている記録媒体である。
【００１５】
着脱可能記録媒体検出部１４は、着脱可能記録媒体１３が装着されたことを制御部１５に通知する。制御部１５は、着脱可能記録媒体１３の装着を検出すると着脱可能記録媒体判定部１７に着脱可能記録媒体１３の情報を送る。
【００１６】
着脱可能記録媒体判定部１７では、装着された記録媒体が無線機能を持つ記録媒体かどうかの判定を行う。なお、この判定は制御部１５が行ってもよい。位置情報取得部１６は、ビデオカメラの現在位置を示す位置情報を取得する。本実施形態では、位置情報取得部１６としてＧＰＳを用いるが、無線基地局を利用するなど、他の方法で位置情報を取得してもよい。また、ユーザ（操作者）は操作部１８よりこのビデオカメラを操作し、位置情報取得部１６により現在の撮影位置を取得するかどうかの設定を制御部１５を介して位置情報取得設定部１９に設定する。この位置情報取得設定部１９は、例えばフラッシュメモリなどで構成される。
【００１７】
以下、図２と図４のフローチャートを用いて第１の実施形態の動作を説明する。
図２のフローチャートに示したように、まず、Ｓ２０１では着脱可能な記録媒体が装着されたかどうかを着脱可能記録媒体検出部１４により検出する。着脱可能な記録媒体の装着が検出されたタイミングを第１のタイミング（所定のタイミング）としてＳ２０２に進む。
【００１８】
次に、Ｓ２０２では、装着された記録媒体が無線機能（通信機能）を持つかどうかを判定する。ここで装着される記録媒体は、例えば、無線機能を持ち、記録媒体に画像データを記録すると記録媒体が予め設定されているサーバへ自動送信する機能を持つ記録媒体が考えられる。また、この記録媒体に対して、ホスト側からコマンドを送信することで、サーバへの送信許可または送信不許可を設定することが可能である。
【００１９】
無線機能を持つかどうかは装着された記録媒体のレジスタからプロダクトネームなどの製品情報を読み取ることで無線機能を持つ記録媒体かどうかを判定することができる。装着された記録媒体が無線機能を持つ場合はＳ２０３に進む。そうでない場合は処理を終了する。
【００２０】
次に、Ｓ２０３では、位置情報取得設定部１９により撮影位置情報を取得する設定がＯＮとなっているかどうかを確認する。ここで、位置情報取得設定がＯＮに設定されている場合は、位置情報取得部１６により現在の撮影位置情報を取得することになる。
【００２１】
ＧＰＳを用いて撮影して位置情報を生成すると、緯度・経度を正確に計算することができるので、例えば個人の家で撮影を行った場合、撮影位置情報によりプライバシー情報である住所が特定されてしまう恐れがある。
【００２２】
位置情報取得設定がＯＦＦに設定されている場合は画像データのみを記録する。位置情報取得設定がＯＮに設定されている場合はＳ２０４に進む。位置情報取得設定がＯＦＦに設定されている場合は処理を終了する。
【００２３】
次に、Ｓ２０４では、図３（ａ）に示すような確認メッセージを表示部１２に表示する。この確認メッセージは、撮影した画像データに撮影位置情報が付加され、外部に送信されることを通知するためのものである。確認メッセージには送信するかどうかの選択をユーザに促すための表示が含まれる。ユーザは操作部１８を用いて、送信するか否かを選択する。
【００２４】
次に、Ｓ２０５では、ユーザの操作が終了したかどうかの待ち状態となる。ユーザから設定終了の通知がくるとＳ２０６に進む。Ｓ２０６ではＳ２０４でユーザが「送信する」を選択した場合にはＳ２０７に進む。Ｓ２０４でユーザが「送信しない」を選択した場合はＳ２０８に進む。Ｓ２０７では装着されている着脱可能記録媒体１３に送信許可のコマンドを発行する。一方、Ｓ２０８では送信不許可のコマンドを装着されている着脱可能記録媒体１３に発行し処理を終了する。
【００２５】
図２では、撮影前に設定する例を説明したが、撮影をした後にユーザが送信設定を確認するメッセージを、送信設定確認画面として表示部１２に表示してもよい。その場合の表示処理の一例を図４のフローチャートを用いて説明する。
【００２６】
まず、Ｓ４０１において、着脱可能記録媒体１３は無線機能を有しているか否かを判定する。この判定の結果、有している場合にはＳ４０２に進み、送信不許可に設定する。また、有していない場合にはＳ４０２を経由しないでＳ４０３に進む。この処理により、記録後に自動的に画像データが送信される事態は避けることができる。
【００２７】
Ｓ４０３では、記録が終了したかどうかを判定する。記録が終了したらＳ４０４に進む。Ｓ４０４では、装着された記録媒体が無線機能を持つかどうかを判定する。
無線機能を持つかどうかの判定は前述したようにして行うことができる。装着された記録媒体が無線機能を持つ場合はＳ４０５に進み、そうでない場合は処理を終了する。
【００２８】
次に、Ｓ４０５では位置情報取得設定部１９により撮影位置情報を取得する設定がＯＮとなっているかどうかを確認する。ここで、位置情報取得設定がＯＮに設定されている場合は位置情報取得部１６により現在の撮影位置情報を取得し、撮影した画像データと対応付けて着脱可能な記録媒体１３に記録する。
【００２９】
位置情報取得設定がＯＦＦに設定されている場合は画像データのみを記録する。位置情報取得設定がＯＮに設定されている場合はＳ４０６に進む。位置情報取得設定がＯＦＦに設定されている場合は処理を終了する。
【００３０】
次に、Ｓ４０６では図３（ａ）に示す確認メッセージを表示部１２に表示する。ユーザは操作部１８で表示されたメッセージを確認し、画像データを送信するか否かを選択する。ここで、記録が終了した後の送信設定確認は記録が終了したあとに毎回行ってもよいし、無線機能を持った着脱可能な記録媒体が装着されたあとの初めての記録後に１度だけ行い、その後は送信設定を保持しつづける処理でもよい。ここでは記録終了時で説明をしたがこの限りではなく、記録開始時や記録終了の直前などでもよい。
【００３１】
次に、Ｓ４０７ではユーザの操作が終了したかどうかの待ち状態となる。ユーザから設定終了の通知がくるとＳ４０８に進む。Ｓ４０８では、Ｓ４０６でユーザが「送信する」を選択した場合にはＳ４０９に進む。Ｓ４０６でユーザが「送信しない」を選択した場合はエンド処理に進む。
【００３２】
Ｓ４０９では、装着されている着脱可能記録媒体１３に送信許可のコマンドを発行する。
本実施形態では無線機能を持った着脱可能な記録媒体が装着されたときに、撮影位置情報取得設定がＯＮになっているかどうかを調べるシーケンスで説明したが順番はこの限りではない。例えば、撮影位置情報取得設定がＯＮになったときに、無線機能を持った着脱可能な記録媒体が装着されているかどうかを調べて送信設定を確認するメッセージを表示してもよい。
【００３３】
＜第２の実施形態＞
次に、第２の実施形態について説明する。第２の実施形態は第１の実施形態と共通する部分が多いため、共通する部分は説明を説明し、本実施形態に特有の部分を中心に説明する。
第２の実施形態を実現するためのブロック図を図５に示す。第１の実施形態と同一部分は図１と同一の符号を用い、その説明は省略する。
図５では、図１に対して内蔵記録媒体２０と記録先媒体設定部２１が追加となっている。記録先媒体設定部２１は、撮影した画像データを着脱可能記録媒体１３に記録するのか内蔵記録媒体２０に記録するのか、あるいはその両方に記録するのかの設定を行う。
【００３４】
以下、図６のフローチャートを用いて第２の実施形態の動作を説明する。
まず、Ｓ６０１では操作部１８の操作よりユーザから記録先媒体の選択画面の表示要求があるかどうかを検出する。ユーザから記録先媒体の選択画面の表示要求が検出された場合はＳ６０２に進む。
【００３５】
Ｓ６０２では、記録先媒体に着脱可能記録媒体１３が選択されたかどうかを検出する。着脱可能記録媒体１３が選択された場合にはＳ６０３に進む。内蔵記録媒体が選択された場合には処理を終了する。
【００３６】
次に、Ｓ６０３では、装着された記録媒体が無線機能を持つかどうかを判定する。装着された記録媒体が無線機能を持つ場合はＳ６０４に進む。そうでない場合は処理を終了する。
【００３７】
次に、Ｓ６０４では、位置情報取得設定部１９により撮影位置情報を取得する設定がＯＮとなっているかどうかを確認する。ここで、位置情報取得設定がＯＮに設定されている場合は位置情報取得部１６により現在の撮影位置情報を取得し撮影した画像データと対応付けて着脱可能記録媒体１３あるいは内蔵記録媒体２０に記録する。
【００３８】
位置情報取得設定がＯＦＦに設定されている場合は画像データのみを記録する。位置情報取得設定がＯＮに設定されている場合はＳ６０５に進む。位置情報取得設定がＯＦＦに設定されている場合は処理を終了する。
【００３９】
次に、Ｓ６０５では、図３（ａ）に示すような確認メッセージを表示部１２に表示する。ユーザは操作部１８で表示されたメッセージから送信の設定を行う。
【００４０】
次に、Ｓ６０６では、ユーザの操作が終了したかどうかの待ち状態となる。ユーザから設定終了の通知がくるとＳ６０７に進む。Ｓ６０７では、Ｓ６０５でユーザが「送信する」を選択した場合にはＳ６０８に進む。Ｓ６０５でユーザが「送信しない」を選択した場合はＳ６０９に進む。Ｓ６０８では装着されている着脱可能記録媒体１３に送信許可のコマンドを発行する。一方、Ｓ６０９では送信不許可のコマンドを装着されている着脱可能記録媒体１３に発行し処理を終了する。
【００４１】
本実施形態では着脱可能記録媒体１３と内蔵記録媒体２０の２つの記録媒体で説明をしたが、この２つに限定するものではなく、少なくとも１つの着脱可能な記録媒体を含む複数の記録媒体を具備していればよい。例えば、２つとも着脱可能な記録媒体としたり、３つ以上の記録媒体としてもよい。
【００４２】
＜第３の実施形態＞
次に、第３の実施形態について説明する。第３の実施形態は第１の実施形態と共通する部分が多いため、共通する部分は説明を説明し、本実施形態に特有の部分を中心に説明する。
図７に、第３の実施形態を実現するためのブロック図を示す。第１の実施形態と同一部分は図１と同一の符号を用い、その説明は省略する。
図７では、図１に対して着脱可能記録媒体１３と着脱可能記録媒体検出部１４と着脱可能記録媒体判定部１７が削除されている。また、記録媒体３０と通信部３１と通信設定部３２が追加されている。
【００４３】
記録媒体３０は、内蔵された記録媒体でも着脱可能な記録媒体でもどちらでもよく、撮影された画像データを記録するための記録媒体である。ユーザは、操作部１８を介してこのビデオカメラを操作し、撮影した画像を自動送信するかどうかや送信先のサーバなどを制御部１５を介して通信設定部３２に設定する。
【００４４】
次に、図８のフローチャートを用いて第３の実施形態の動作を説明する。
まず、Ｓ８０１では、通信設定部３２により撮影した画像データを通信部３１を介して自動的に外部機器であるサーバに送信する設定がＯＮとなっているかどうかを確認する。ここで自動送信がＯＮに設定されている場合、撮影した画像データが記録媒体３０に記録されるとユーザが予め設定したサーバに自動的に画像データが送信される。この自動送信の際、ユーザは特に送信を指示する操作を行う必要はない。Ｓ８０１で自動送信設定がＯＮと判断された場合にはＳ８０２に進む。
【００４５】
次に、Ｓ８０２では、位置情報取得設定部１９により撮影位置情報を取得する設定がＯＮとなっているかどうかを確認する。ここで、位置情報取得設定がＯＮに設定されている場合は位置情報取得部１６により現在の撮影位置情報を取得し撮影した画像データと対応付けて記録媒体３０に記録する。
【００４６】
位置情報取得設定がＯＦＦに設定されている場合は画像データのみを記録する。位置情報取得設定がＯＮに設定されている場合はＳ８０３に進む。位置情報取得設定がＯＦＦに設定されている場合はＳ８０１に戻る。つまり、Ｓ８０１とＳ８０２では自動送信設定がＯＮになっている、かつ、撮影位置情報取得設定がＯＮになっていることを検出する。
【００４７】
次に、Ｓ８０３では、図３（ａ）に示す確認メッセージを表示部１２に表示する。ユーザは操作部１８で表示されたメッセージを確認し、画像データを送信するか否かを選択する。ユーザが送信する設定を選択した場合にはさらに図３（ｂ）に示すような送信先のサーバを設定するような画面を表示して詳細な設定をさせてもよい。
【００４８】
次に、Ｓ８０４ではユーザの操作が終了したかどうかの待ち状態となる。ユーザから設定終了の通知がくるとＳ８０５に進む。Ｓ８０５では、Ｓ８０３でユーザが「送信する」を選択した場合にはＳ８０６に進む。Ｓ８０３でユーザが「送信しない」を選択した場合はＳ８０７に進む。Ｓ８０６では、送信設定を自動送信ＯＮに設定する。一方、Ｓ８０７では送信設定を自動送信ＯＦＦに設定し処理を終了する。
【００４９】
図８では、撮影前に設定する例を説明したが撮影をした後にユーザに送信設定を確認するメッセージを表示してもよい。その場合を図９のフローチャートを用いて説明する。
まず、Ｓ９０１では記録が終了したかどうかを判定する。記録が終了したらＳ９０２に進む。
【００５０】
次に、Ｓ９０２では、通信設定部３２により撮影した画像データを通信部３１を介して自動的にサーバに送信する設定がＯＮとなっているかどうかを確認する。ここで、自動送信がＯＮに設定されている場合は撮影した画像データを記録媒体３０に記録するとユーザが予め設定したサーバにユーザの転送作業をすることなしに自動的に画像データが送信される。Ｓ９０２で自動送信設定がＯＮと判断された場合にはＳ９０３に進む。一方、自動送信設定がＯＦＦと判断された場合には処理を終了する。
【００５１】
次に、Ｓ９０３では位置情報取得設定部１９により撮影位置情報を取得する設定がＯＮとなっているかどうかを確認する。ここで、位置情報取得設定がＯＮに設定されている場合は位置情報取得部１６により現在の撮影位置情報を取得し撮影した画像データと対応付けて記録媒体３０に記録する。撮影位置情報は、例えば、ＧＰＳを用いて取得することが可能であるがＧＰＳに限定するものではない。
【００５２】
位置情報取得設定がＯＦＦに設定されている場合は画像データのみを記録する。位置情報取得設定がＯＮに設定されている場合はＳ９０４に進む。一方、位置情報取得設定がＯＦＦと判断された場合には処理を終了する。
【００５３】
次に、Ｓ９０４では図３（ａ）に示す確認メッセージを表示部１２に表示する。ユーザは表示されたメッセージを確認し、画像データを送信するか否かを選択する。ユーザが送信する設定を選択した場合にはさらに図３（ｂ）に示すような送信先のサーバを設定するような画面を表示して詳細な設定をさせてもよい。
【００５４】
ここで、記録が終了したあとの送信設定確認は記録が終了したあとに毎回行ってもよいし、初めての記録後に１度だけ行い。その後は、送信設定を保持しつづける処理でもよい。ここでは記録終了時で説明をしたがこの限りではなく、記録開始時や記録終了の直前などでもよい。
【００５５】
次に、Ｓ９０５では、ユーザの操作が終了したかどうかの待ち状態となる。ユーザから設定終了の通知がくるとＳ９０６に進む。Ｓ９０６ではＳ９０４でユーザが「送信する」を選択した場合にはＳ９０７に進む。Ｓ９０４でユーザが「送信しない」を選択した場合はＳ９０８に進む。Ｓ９０７では送信設定を自動送信ＯＮに設定する。一方、Ｓ９０８では送信設定を自動送信ＯＦＦに設定し処理を終了する。
【００５６】
＜第４の実施形態＞
次に、第４の実施形態について説明する。第４の実施形態は第１の実施形態と共通する部分が多いため、共通する部分は説明を説明し、本実施形態に特有の部分を中心に説明する。
図１０に、第４の実施形態を実現するためのブロック図を示す。第１の実施形態と同一部分は図１と同一の符号を用い、その説明は省略する。図１０では、図１に対して撮像部１０と位置情報取得部１６と位置情報取得設定部１９が削除されている。また、送信済み判定部４０と位置情報付加判定部４１と送信設定部４２が追加されている。
【００５７】
送信済み判定部４０は、装着された着脱可能記録媒体１３に記録されている画像データの中に外部部機器へ送信されていない画像データがあるかどうかを判定するブロックである。また、位置情報付加判定部４１は、着脱可能記録媒体１３に記録されている画像データに位置情報が付加されているかを判定するブロックである。また、送信設定部４２は着脱可能記録媒体１３に記録してある画像データを自動的に送信するかどうかを設定するブロックである。
【００５８】
以下、図１１のフローチャートを用いて第４の実施形態の動作を説明する。
まず、Ｓ１１０１では着脱可能な記録媒体１３が装着されたかどうかを着脱可能記録媒体検出部１４により検出する。着脱可能な記録媒体の装着が検出されたらＳ１１０２に進む。
【００５９】
次に、Ｓ１１０２では、装着された記録媒体が無線機能を持つかどうかを判定する。装着された記録媒体が無線機能を持つ場合はＳ１１０３に進む。そうでない場合は処理を終了する。
【００６０】
次に、Ｓ１１０３では、送信設定部４２の設定が送信許可になっているかどうかを判定する。送信許可されている場合はＳ１１０４に進む。送信不許可の場合は処理を終了する。次にＳ１１０４ではユーザに確認をしている間に画像が自動送信されないように着脱可能記録媒体１３に送信不許可のコマンドを発行する。
【００６１】
次に、Ｓ１１０５では、着脱可能記録媒体１３に記録されている画像データをサーチし付加情報を調べる。次にＳ１１０６ではＳ１１０５で調べた付加情報より送信していない画像があるかどうかを送信済み判定部４０により判定する。未送信の画像データがあると判定されるとＳ１１０７に進む。一方、未送信の画像データがないと判定された場合はＳ１１０９に進む。Ｓ１１０９では、着脱可能記録媒体１３に送信許可のコマンドを発行し、処理を終了する。
【００６２】
次に、Ｓ１１０７では、Ｓ１１０６で検出された未送信画像から位置情報が付加されている画像データがあるかどうかを位置情報付加判定部４１より判定する。未送信の画像データの中に位置情報が付加されている画像データがあると判定された場合にはＳ１１０８に進む。一方、未送信画像データの中に位置情報が付加されている画像データがないと判定された場合はＳ１１０９に進む。
【００６３】
Ｓ１１０９では、着脱可能記録媒体１３に送信許可のコマンドを発行し、処理を終了する。画像データが送信されたかどうかや画像データに位置情報が付加されているかどうかを判定する手段は、例えば、画像データのメタデータとしてその情報を撮影時に付加しておき、そのメタデータを参照してもよい。
【００６４】
また、別ファイルに送信済み情報および位置情報が付加されているかどうかの情報を記録しておき、画像データと関連付けて撮影時に記録し、その関連ファイルを参照する方法でもよい。また、これらは一例でありこれらの方法に限定されるわけではない。
【００６５】
次に、Ｓ１１０８では、図１２（ａ）に示すような位置情報が付加した画像データが送信されるがよいかどうかの確認メッセージを表示部１２に表示する。ユーザは操作部１８で表示されたメッセージから送信の設定を行う。
【００６６】
次に、Ｓ１１１０では、ユーザの操作が終了したかどうかの待ち状態となる。ユーザから設定終了の通知がくるとＳ１１１１に進む。Ｓ１１１１では、Ｓ１１０８でユーザが「送信する」を選択した場合にはＳ１１１２に進む。Ｓ１１０８でユーザが「送信しない」を選択した場合はＳ１１１３に進む。Ｓ１１１２では装着されている着脱可能記録媒体１３に送信許可のコマンドを発行する。一方、Ｓ１１１３では送信不許可のコマンドを装着されている着脱可能記録媒体１３に発行し処理を終了する。
【００６７】
＜第５の実施形態＞
次に、第５の実施形態について説明する。第５の実施形態は第１の実施形態と共通する部分が多いため、共通する部分は説明を説明し、本実施形態に特有の部分を中心に説明する。
図１３に、第５の実施形態を実現するためのブロック図を示す。第１の実施形態と同一部分は図１と同一の符号を用い、その説明は省略する。図１３では、図１に対して撮像部１０と着脱可能記録媒体１３と着脱可能記録媒体検出部１４と着脱可能記録媒体判定部１７と位置情報取得部１６と位置情報取得設定部１９が削除されている。また、記録媒体３０と通信部３１と通信設定部３２と送信済み判定部４０と位置情報付加判定部４１が追加されている。
【００６８】
記録媒体３０は内蔵された記録媒体でも着脱可能な記録媒体でもどちらでもよく、撮影された画像データを記録するための記録媒体である。ユーザは操作部１８よりこのビデオカメラを操作し、撮影した画像を自動送信するかどうかや送信先のサーバなどを制御部１５を介して通信設定部３２に設定する。
【００６９】
送信済み判定部４０は、記録媒体３０に記録されている画像データの中に外部機器へ送信されていない画像データがあるかどうかを判定するブロックである。また、位置情報付加判定部４１は、記録媒体３０に記録されている画像データに位置情報が付加されているかを判定するブロックである。
【００７０】
以下、図１４のフローチャートを用いて第５の実施形態の動作を説明する。
まず、Ｓ１４０１では、通信設定部３２により画像データを通信部３１を介して自動的にサーバに送信する設定がＯＮとなっているかどうかを確認する。Ｓ１４０１で自動送信設定がＯＮと判断された場合にはＳ１４０２に進む。
【００７１】
次に、Ｓ１４０２では、記録媒体３０に記録されている画像データをサーチし付加情報を調べる。
次に、Ｓ１４０３では、Ｓ１４０２で調べた付加情報より送信していない画像があるかどうかを送信済み判定部４０により判定する。未送信の画像データがあると判定されるとＳ１４０４に進む。一方、未送信の画像データがないと判定された場合はＳ１４１０に進む。Ｓ１４１０では、記録媒体３０に送信許可のコマンドを発行し、処理を終了する。
【００７２】
次に、Ｓ１４０４では、Ｓ１４０３で検出された未送信画像から位置情報が付加されている画像データがあるかどうかを位置情報付加判定部４１より判定する。未送信の画像データの中に位置情報が付加されている画像データがあると判定された場合にはＳ１４０５に進む。一方、未送信画像データの中に位置情報が付加されている画像データがないと判定された場合はＳ１４１０に進む。
【００７３】
Ｓ１４１０では、記録媒体３０に送信許可のコマンドを発行し、処理を終了する。画像データが送信されたかどうかや画像データに位置情報が付加されているかどうかを判定する手段は、例えば、画像データのメタデータとしてその情報を撮影時に付加しておき、そのメタデータを参照してもよい。
【００７４】
また、別ファイルに送信済み情報および位置情報が付加されているかどうかの情報を記録しておき、画像データと関連付けて撮影時に記録し、その関連ファイルを参照する方法でもよい。また、これらは一例でありこれらの方法に限定されるわけではない。
【００７５】
次に、Ｓ１４０５では、図１２（ａ）に示すような位置情報が付加した画像データが送信されるがよいかどうかの確認メッセージを表示部１２に表示する。ユーザは操作部１８で表示されたメッセージから送信の設定を行う。
【００７６】
次に、Ｓ１４０６では、ユーザの操作が終了したかどうかの待ち状態となる。ユーザから設定終了の通知がくるとＳ１４０７に進む。Ｓ１４０７では、Ｓ１４０５でユーザが「送信する」を選択した場合にはＳ１４０８に進む。Ｓ１４０５でユーザが「送信しない」を選択した場合はＳ１４０９に進む。Ｓ１４０８では、装着されている記録媒体３０に送信許可のコマンドを発行する。一方、Ｓ１４０９では、送信不許可のコマンドを装着されている記録媒体３０に発行し処理を終了する。
【００７７】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【図１】
0005765925.tif 000002
【図２】
0005765925.tif 000003
【図３】
0005765925.tif 000004
【図４】
0005765925.tif 000005
【図５】
0005765925.tif 000006
【図６】
0005765925.tif 000007
【図７】
0005765925.tif 000008
【図８】
0005765925.tif 000009
【図９】
0005765925.tif 000010
【図１０】
0005765925.tif 000011
【図１１】
0005765925.tif 000012
【図１２】
0005765925.tif 000013
【図１３】
0005765925.tif 000014
【図１４】
0005765925.tif 000015